Podtech/llm-jp-corpus-v4-ja_patent huggingface dataset:
(57)【要約】      （修正有）【課題】かさばらずに持ち運びが容易で、飛翔時の安定性にすぐれ上昇させやすい凧を提供する。【解決手段】縦骨２と横骨３とで十字形の補強材を備えた略四角形の形状を成す凧で、シート１に中心軸に関して両側に対称かつ平行に折り目１１を施し、中央で屈曲部を有する横骨を、縦骨との交差部で回転自由に縦骨と結び飛翔時の上反角を形成可能とする。また横骨をシートから取り外し自在に取り付ける。【選択図】図２
0003190889.tif 000002
【実用新案登録請求の範囲】
【請求項１】
一つの対角線を中心軸として左右対称な四角形のシートを有し、
シートを補強するために中心軸を成す対角線上に縦骨を取り付け、
縦骨に略直角に交差し、他の対角の２個の頂点に取り付けた横骨からなる凧において
シートに、中心軸に関して両側に対称かつ中心軸に平行に折り目を施し、
中央に関して対称に屈曲部を設けた横骨を２個の対角の頂点に着脱自在に取り付けた、凧。
【請求項２】
請求項１の凧において、
凧の重心点と縦骨先端との略中央部シートに穴を開け
この穴に紐（根付け糸）を貫通させ縦骨と横骨との交差部で横骨が回転自由に縦骨に結び
この根付け糸のもう一端を凧の重心点と縦骨後端との略中央部でシートに開けた穴を通して縦骨を固縛し
縦骨、横骨が設置されている面と反対側に渡された根付け糸の中間部に凧紐（揚げ糸）が結ばれた、凧。
【請求項３】
請求項１または請求項２または請求項３の凧において、
シートとしてシルクスクリーン印刷でデザインを施した和紙を用い、
縦骨または横骨に竹を用いた、凧。
【考案の詳細な説明】
【技術分野】
【０００１】  ホビーとして用いる凧、特に長崎地方特有の略ひし形形状で、対角線上に十字形に組み合わせた２本の骨で形状を保持した凧（以下長崎凧という）の構造に係る技術である。
【背景技術】
【０００２】  特許文献１に示された凧は、折りたためる構造でないため、持ち運ぶ際には面積がかさばり持ち運びに不便を感じ、また縦骨と横骨とを固縛しているため、飛翔時にシート両端で上反角を形成することがなく、安定的に凧を揚げることが難しい。また特許文献２は、長方形の凧を折りたためる構造であるが、ひし形の形状の凧には適用できない。また凧を揚げる際に特殊な構造を保持するための部材を新たに必要とし、重量が過大になり飛翔に困難を来たすものである。
【先行技術文献】
【特許文献】
【０００３】
【特許文献１】実開昭５２−９４
【特許文献２】特開平１０−１６５６６０
【考案の概要】
【考案が解決しようとする課題】
【０００４】通常の凧は、空中高く揚げるため、風を受ける表面積が１平方メートル程度必要でとなる。そのため本体がかさばり、持ち運びが困難である。
また、長崎凧では、シートの形状を保持するための構造部材である縦骨と横骨とを略十字形に交差させ、両者を交差部で堅く固縛している。そのため屈曲した横骨を用いても、飛翔して凧が風圧を受けてもシート受圧面が平面のままで両側端部で上半角を形成することは無い。これにより飛翔時の安定性に欠け、上昇させることが難しい。
【課題を解決するための手段】
【０００５】  凧の形状を保持するための構造材である縦骨と横骨の内、横骨を取り外し可能に取り付ける。また、屈曲した横骨を縦骨との交差部で回転自由に結び、飛翔時に上反角を形成可能とすることで、上記課題を解決する。
即ち、一つの対角線を中心軸として左右対称な四角形のシートを有し、シート裏面に中心軸上に縦骨を取り付け、縦骨に略直角に交差し、他の対角の２個の頂点に着脱自在に横骨を取り付ける。横骨は、中央に関して対称に屈曲部を設ける。
シートには、中心軸に関して両側に対称かつ中心軸に平行に折り目を施し、凧を使用しない場合には、横骨を外し折り目に添って折りたたむことを可能にする。
また凧の重心点と縦骨先端との略中央部シートに穴を開け、この穴に紐（根付け糸）を貫通させ縦骨と横骨との交差部を横骨が回転自由な程度に結び、この根付け糸のもう一端を凧の重心点と縦骨後端との略中央部でシートに開けた穴を通して縦骨を固縛し、縦骨、横骨が設置されている面と反対側（表面）に渡された根付け糸の中間部に凧紐（揚げ糸）を結ぶ。
【考案の効果】
【０００６】  横骨を対角の頂点に着脱自在に取り付け、シートに縦骨と平行に折り目を付けることで、凧を収納する場合には、横骨を外し折り目に添ってたたむことを可能とする。
また、中央に関して対称に屈曲部を設けた横骨を、縦骨との交差部で横骨が回転自由な程度に結ぶことで、凧を揚げた際、風圧を受けて横骨が略９０°回転し、シート両側先端部が上向き角度を有することになる。これは航空機の主翼などで通常採用される上反角と同様の作用を生み出し、凧が横揺れした場合に沈み込む端部で揚力を発生し浮き上がる効果を生み出すため、安定な姿勢を保持することを可能とする。
【図面の簡単な説明】
【０００７】
【図１】凧の組立状況（表面）
【図２】凧の組立状況（裏面）
【図３】折りたたんだ状態の凧
【実施例】
【０００８】  風を受けるシートの材料としては、軽く強度があるビニールシートや和紙を用い、一つの対角線を中心軸として左右対称な四角形に裁断する。
尚シートの四周では、頂点に張った糸を包み込みながら反対側に折り曲げて固着することで強度が増加し、飛翔時の風圧による振動を防止することができる。
本シートの対称軸を成す対角線上に、直線状の縦骨を固着させる。縦骨の材料としては、重量が小さく強度がある竹、プラスチック、チタン、アルミニウムなどを用いる。
シート中心軸に無い他の対角の頂点付近に、横骨先端の保持部を設ける。保持部は袋状あるいは筒状を成し、例えばプラスチック製のストローを四角形に変形させたものあるいは不織布や布で袋を形成しても良い。
横骨は、中央部で屈曲部を設けるため、竹ひごで製作する場合には、強度が大きい節を中心に加熱して曲げ、更に強度を増すために補強材を付加し、熱収縮性の樹脂などで固縛することも考えられる。あるいは軽量で強度が大きいプラスチック、ピアノ線、チタン、アルミニウムなどで製作してもよい。
シートには、中心軸に関して両側に対称かつ中心軸に平行に折り目を施し、凧を使用しない場合には、横骨を外し折り目に添って折りたたむことを可能にする。
また凧の重心点と縦骨先端との略中央部シートに穴を開けこの穴に紐（根付け糸）を貫通させ縦骨と横骨との交差部で、横骨が回転自由な程度に結び、この根付け糸のもう一端を凧の重心点と縦骨後端との略中央部でシートに開けた穴を通して縦骨を固縛し縦骨、横骨が設置されている面と反対側（表面）に渡された根付け糸の中間部に凧紐（揚げ糸）を結び付ける。
図１に組立てた凧の表面を、図２に組立てた凧の裏面を、また図３に折りたたんだ状態の凧の例を示す。
【符号の説明】
【０００９】      １    シート
１１  折り目
２    縦骨
３    横骨
４    横骨先端の保持部
５    根付け糸
６    揚げ糸
【図１】
0003190889.tif 000003
【図２】
0003190889.tif 000004
【図３】
0003190889.tif 000005
(57)【要約】      （修正有）【課題】軽量化し、運搬する部品数を減らし、簡素化し準備片付けを短時間で終了させる軽量携帯式シャンプー椅子を提供する。【解決手段】リクライニングパイプ椅子Ａの背もたれ頂部７の後方に、シンク枠２と水受部からなる水を受けるためのシンク部９−２を設け、シンク枠２の一部を固定可動式にし折り畳み収納可能とする。椅子の脚６とシンク枠２を支柱５でつなぎ、支柱５は数個のパイプを固定せず連結させ内部にゴムチップを通した構造とし、水受部はシート状材料で形成しシンク枠２に対してボタン留め３で着脱可能とする。【選択図】図４
0003190880.tif 000002
【実用新案登録請求の範囲】
【請求項１】
リクライニングパイプ椅子の背もたれ頂部の後方に、水を受けるためのシンク部を設け、枠の一部を固定可動式にし折り畳み収納を特徴とする軽量携帯式シャンプー椅子。
【請求項２】
椅子の脚とシンク部受け枠を支柱でつなぎ、支柱の構造を、数個のパイプを固定せず連結させ内部にゴムチップを通した、また水受部はシート状材料で形成しボタン留めで着脱可能とした、請求項１の椅子
【考案の詳細な説明】
【技術分野】
【０００１】
本考案は、軽量化のためリクライニングパイプ椅子使用し、背もたれ頂部の、シンク部 を折り畳む事により分解組立の労力を解消し、施術者の負担を軽減する軽量携帯式シャンプー椅子に関する
【背景技術】
【０００２】
従来の携帯式シャンプー椅子は大きく、重く、洗髪部は椅子本体と別の組立部品で構成されている。
【０００３】
しかしながら、従来の携帯式シャンプー椅子は持ち運び時の部品も多く、その都度分解組立が必要で準備片付に時間を要するという欠点があった。
【先行技術文献】
【特許文献】
【０００４】
【特許文献１】特開２００２−１５３３１５号広報  携帯式シャンプー椅子
【考案の概要】
【考案が解決しようとする課題】
【０００５】
本考案は、以上のような従来の欠点に鑑み、軽量化し、運搬する部品数を減らし、簡素化し準備片付けを短時間で終了させる軽量携帯式シャンプー椅子を提供する事を目的としている。
【課題を解決するための手段】
【０００６】
上記目的を達成するために、本考案は、リクラニングパイプ椅子と折り畳み収納できるシンクとで携帯式シャンプー椅子を構成している。
【考案の効果】
【０００７】
以上の説明から明らかなように、本考案にあっては次に列挙する効果が得られる。 
（１）リクライニングパイプ椅子の背もたれ頂部の後方に、水を受けるためのシンク部を 設け、枠の一部が固定可動式で構成されているので、
【０００８】
折り畳め、シンク部をシート状材料にすることで収納ができる。したがって、一体化する事で持運びが楽になり労力が軽減できる。
【０００９】
前記（１）によってシンク枠を支える支柱を床から支える構造にせず、椅子の脚と固定する事によりリクライニングの背もたれが、どの角度でもシンクが水平に保たれる様にし、
【００１０】
また、支柱を数個のパイプに別け固定せず連結しゴムチップを内部に通す事によりシンク枠を引っ張るだけで準備は完了する。
【００１１】
によって施術者の負担の軽減できるようにした携帯式シャンプー椅子を構成している。したがって、時間の短縮がはかれ施術者の負担の軽減ができる。
【図面の簡単な説明】
【００１２】
【図１】携帯式シャンプー椅子の折り畳み運搬時の斜視図である。
【図２】携帯式シャンプー椅子の基本形態を示した斜視図である。
【図３】携帯式シャンプー椅子のシンク台を開いた斜視図である。
【図４】携帯式シャンプー椅子のシンク台を開いたリクライニング時の斜視図である。
【図５】背もたれ頂部の後方部、シンク枠取付詳細斜視図である。
【図６】支柱の詳細斜視図である。
【考案を実施するための形態】
【００１３】
以下本考案の形態を図面に基づき詳細に説明する。
【実施例１】
【００１４】
図１は、本考案の椅子Ａを運搬時の状態の基本形態を示した斜視図である。
【００１５】
図２は、本考案の椅子Ａを開きシンク１を収納した状態の基本形態を示した斜視図である。
【００１６】
図３は、本考案の椅子Ａを基本形態にしシンク１を開いた状態の基本形態を示した斜視図である。
【００１７】
背もたれ部、頂部７の後方に金物１１を固定し、水を受けるためのシンク枠２を折り畳む構造とし、シート状材料で形成したシンク１はボタン留め３で着脱し洗浄可能とした、
頭部を支える枕４も取り外し可能とした。
【００１８】
図４は、シンク枠２を支える支柱５を、椅子背もたれ７や床から支えず、椅子の脚６とをつなぎ、可動式のT字金物９−１、シンク枠２を可動式のT字金物９−２でつなぎ固定する事により
【００１９】
リクライニング椅子Ａの背もたれ７の角度が、どの状態でも図３図４で確認できる様にシンク１が常時水平に保たれる構造とした。
【００２０】
図５は、椅子背もたれ７頂部の後方部に金物１１を固定し、シンク枠２が可動できる構造とした。
【００２１】
図６は、支柱５を数個のパイプ８−１、８−２、８−３に分け固定せず連結しゴムチップ１０を内部に通す事によりシンク枠金物９−２付近を引張るだけで設置は完了する
【００２２】
片付は、各々のパイプ８−１、８−２、８−３を引抜く事により簡単に折り畳み収納できる構造とした。
【産業上の利用可能性】
【００２３】
本考案は、軽量携帯式シャンプー椅子を製造する産業で利用される。
【符号の説明】
【００２４】
Ａ      リクライニングパイプイス
１      水を受けるためのシンク
２      シンク枠
３      ボタン留め
４      頭部支え枕
５      シンク支え支柱
６      椅子の脚
７      椅子背もたれ
８      支柱５を構成する数個のパイプ
９−１  可動式のT字金物（脚部）
９−２  可動式のT字金物（シンク部）
１０    ゴムチップ
１１    シンク枠と椅子背もたれを固定する可動式金物
１２    排水口
１３    排水口ホース
１４    枕  支持部材
【図１】
0003190880.tif 000003
【図２】
0003190880.tif 000004
【図３】
0003190880.tif 000005
【図４】
0003190880.tif 000006
【図５】
0003190880.tif 000007
【図６】
0003190880.tif 000008
【手続補正書】
【提出日】平成26年3月27日(2014.3.27)
【手続補正１】
【補正対象書類名】実用新案登録請求の範囲
【補正対象項目名】請求項１
【補正方法】変更
【補正の内容】
【請求項１】
リクライニングパイプ椅子の背もたれ頂部の後方に、シンク枠と水受部からなる
水を受けるためのシンク部を設け、前期シンク枠の一部を固定可動式にし折り畳み
収納可能としたことを特徴とする軽量携帯式シャンプー椅子。
【手続補正２】
【補正対象書類名】実用新案登録請求の範囲
【補正対象項目名】請求項２
【補正方法】変更
【補正の内容】
【請求項２】
前期椅子の脚と前期シンク枠を支柱でつなぎ、前期支柱は数個のパイプを固定せず
連結させ内部にゴムチップを通した構造とし、前期水受部はシート状材料で形成し
前期シンク枠に対してボタン留めで着脱可能としたことを特徴とする請求項１に記
載の軽量携帯式シャンプー椅子。
(57)【要約】      （修正有）【課題】雨降りの外出時に、従来、傘に装着されてある括り紐が歩く度に搖れて、その度に括り紐を伝って落下する雨雫が肩などを濡らすという問題点を解決する洋傘の収納用括り紐を提供する。【解決手段】長傘の場合は、括り紐２の先端３が傘の縁から覗かない位置の表布側に取付け位置を備える。又、装着の括り紐を括り紐巾位のゴム紐に替えることにより、装着位置が下げられるので結合し易くなる。又、折りたたみ傘（２ツ折、３ツ折）は収納用結合具（例  面ファスナー）は傘の裏布側に、又ゴム紐の長さを緩め加減にすれば両先端の結合具が取扱い易い。【選択図】図１
0003190879.tif 000002
【実用新案登録請求の範囲】
【請求項１】
傘使用時に、収納用括り紐の先端が傘の縁より出ない位置に取り付ける構造としたことを特徴とする洋傘の収容用括り紐。
【請求項２】
長傘の場合は、請求項１記載の括り紐を傘の表布側の所定の位置に取り付ける構造としたことを特徴とする洋傘の収納用括り紐。
【請求項３】
２ツ折又は３ツ折の折りたたみ傘の場合は、請求項１記載の括り紐を傘の裏布側の所定の位置に取り付ける構造としたことを特徴とする洋傘の収納用括り紐。
【請求項４】
請求項１又は２記載の括り紐を、長傘、折りたたみ傘共に、括り紐巾ぐらいのゴム紐に替えて取り付ける構造としたことを特徴とする洋傘の収納用括り紐。
【請求項５】
請求項１〜４記載のいづれか記載の収納用括り紐にも、傘の結合部２と、括り紐先端３は、面ファスナーや、釦、ホック鍵ホックで装着収納することを特徴とする洋傘の収納用括り紐。
【考案の詳細な説明】
【考案の詳細な説明】
【技術分野】
【０００１】  本考案は、洋傘の収納用括り紐に関するものである。
【背景技術】
【０００２】  従来の洋傘の括り紐は、長傘は傘の表布側に、又折りたたみ傘の括り紐は傘の裏布側に装着してあるのが通例である。長い括り紐が傘の縁よりぶら下って歩く度に搖れ、紐を伝う雨雫が落下して、使用人の肩など濡らすという欠点があった。【０００３】  この欠点の解決手段として、特許文献１には、一定長さの縛り紐の部分Ｈの剛性を高めた構造としたことが提案されている。また、特許文献２には、傘の末端部に括り紐、先端部に回転装置を設け、片手で傘を回転することにより緊縮する構成に工夫が見られる。しかしながら、文献１、２共に傘の周囲からぶら下った括り紐からの雫による濡れを防止する工夫はなされていない。
【先行技術文献】
【０００４】
【特許文献１】  特開２０１３−３９３３７号公報
【特許文献２】  特開平１１−２１６００７号公報
【考案の概要】
【考案が解決しようとする課題】
【０００５】  そこで、雨垂れが括り紐を伝って落下し、傘使用者の肩など濡らされるという問題点について、括り紐の取り付け位置と形状及び材質について検討した。
【課題を解決するための手段】
【０００６】  上記課題を解決するために、長傘においては、括り紐の先端が傘の縁より覗かない位置の表布側の所定の位置に装着する。【０００７】  ２ツ折、３ツ折の折りたたみ傘の場合は、括り紐の先端が傘の縁から覗かない位置の裏布側の所定の位置に装着する。【０００８】  又、括り紐の材質としては、伸縮自在のテープ用ゴム紐、（１例として、オペロンゴム）や、傘共布で縫製した紐、又、テープ状に織った紐などがある。いづれも括り紐としては適当な巾で、多少緩めな丈が望ましい。【０００９】  各洋傘の括り紐の結合具としては、面ファスナー、スナップ、釦、カギホックなどがある。
【図面の簡単な説明】
【００１０】
【図１】  （イ）は本考案による洋傘の布製括り紐の装着状態を示す斜視図であり、（ロ）はその括り紐の拡大斜視図である。
【図２】  本考案によるゴム状括り紐の装着状態を示す斜視図である。
【図３】  従来の洋傘の、括り紐を伝い、落下する雨雫を示す斜視図である。
【図４】  ２ツ折  折りたたみ傘の裏布側に装着の括り紐を示す斜視図である。
【図５】  ３ツ折  折りたたみ傘の裏布側に装着の括り紐を示す斜視図である。
【考案を実施するための形態】
【００１１】  ［図１］は、本考案による洋傘に装着する括り紐の位置を示したもので、連結する箇所２を、一定の長さの括り紐の先端３が傘の縁より覗かない位置に決めることである。
【００１２】  又、［図２］は、本考案による括り紐を括り紐の巾ぐらいのゴムテープ（１例としてオペロンゴム）に替えてもよい。その場合は、ゴムテープの伸縮性上、［図１］（イ）に示す括り紐（２）の先端（３）が傘の縁より覗かない位置まで括り紐（２）の装着位置を下げることができる。
【００１３】  ［図３］は、従来の洋傘の斜視図であり、括り紐（２）の先端部（３）から落下する雨雫の落下状態を示す斜視図である。これにより使用者は雨雫によって塗れる結果となる。
【００１４】  傘をたたんで括る時、収納用括り紐の結合具［図１］（ロ）としては、布製括り紐、ゴム製括り紐共に、面ファスナー、スナップ、釦、カギホックなどいろいろある。
【００１５】  以上、収納用括り紐の装着場所としては、長傘の場合は、傘の表布側に、又、折りたたみ傘の場合は傘の裏布側のいづれも所定の位置に取り付ける。
【００１６】  ［図４］の２ツ折、［図５］の３ツ折の場合は、裏布側に括り紐２を取り付けるため、傘の縁から括り紐が覗いていても雨雫はその先端部から垂れることはないが余り長いと邪魔になる。
【考案の効果】
【００１７】  本考案は、以上のように構成したので雨の日に傘をさして歩く時、長傘、２ツ折、３ツ折の折りたたみ傘共に、従来の長く垂れ下った収納用括り紐より伝って落下する雨雫に肩など濡らされるという従来からの悩みや、また、傘の括り紐の搖れる長さの丈如何によっては、ハタ迷惑になることもしばしばある。が、この点も解決できる。
【符号の説明】１            傘生地
２      （イ）括り紐の装着部  （ロ）括り紐の結合部
３            括り紐の先端部、ゴム紐の先端部
４            括り紐の結合部  ４……オモテ（オン）  ４’……ウラ（メン）
５            括り紐を伝う雨雫
【図１】
0003190879.tif 000003
【図２】
0003190879.tif 000004
【図３】
0003190879.tif 000005
【図４】
0003190879.tif 000006
【図５】
0003190879.tif 000007
(57)【要約】      （修正有）【課題】眼鏡のズレやブレを簡単な構造の固定具で留めておく事ができる眼鏡固定具を提供する。【解決手段】直径が１〜２ｃｍで柔らかい樹脂からなる、ドーナッツ形状の眼鏡固定具１０であって、ドーナッツ形状の円環面外側から反対側の円環面外側まで貫通するスリット孔２０，２１が設けられ、眼鏡のテンプル端部が前記スリット孔の少なくとも一方に嵌合され、ドーナッツ形状の環状部側面により顔面又は側頭部を押圧する事により眼鏡を固定する眼鏡固定具。【選択図】図１
0003190847.tif 000002
【実用新案登録請求の範囲】
【請求項１】
ドーナッツ形状の眼鏡固定具の環状部側面により顔面又は側頭部を押圧する事により眼鏡を固定する事を特徴とする、眼鏡固定具。
【請求項２】
直径が１〜２ｃｍで柔らかい樹脂からなるドーナッツ形状の眼鏡固定具であって、ドーナッツ形状の円環面外側から反対側の円環面外側まで貫通するスリット孔が設けられ、眼鏡のテンプル端部が前記スリット孔の少なくとも一方に嵌合され、ドーナッツ形状の環状部側面により顔面又は側頭部を押圧する事により眼鏡を固定する事を特徴とする、眼鏡固定具。
【考案の詳細な説明】
【技術分野】
【０００１】本考案は、眼鏡のテンプルに取り付けが可能な眼鏡固定具に関する。
【背景技術】
【０００２】従来、眼鏡のテンプルに取り付けられる眼鏡固定具としては、角型の本体をその軸線にほぼ直角になる様なテンプル挿入用のトンネル状の透孔が設けられた、実開平１−１６４４２３のようなものや、球状又は種々形状の小製品に貫通孔又は切り込みを作った、実開昭６２−１２１２３が提案されている。【０００３】
【特許文献１】実開平１−１６４４２３
【特許文献２】実開昭６２−１２１２３
【考案の開示】
【考案が解決しようとする課題】
【０００４】しかしながら、上記実開平１−１６４４２３に於いては、トンネル状の透孔はテンプル端部よりも小さくしなければテンプル上にしっかり固定する事が出来ず、又透孔を小さくするとテンプルを嵌める時や外すときに非常に手間が掛かってしまっていた。
そしてテンプルの形状や大きさは色々ある為に、なかなか直に合うものが無く、その為に種類を沢山作り在庫として保有しなければならなかった。【０００５】次に、実開昭６２−１２１２３に於いても同様にテンプルにきっちり合うようにしなければならず、テンプル挿入端部は幾分中程より太くなっているので、入れる時すんなりはいったものは中程でぐらぐらし、中程できっちり嵌まる物はなかなかテンプル端部から入りにくかった。
【課題を解決するための手段】
【０００６】そこで本発明に於いては、上記課題を解決するために、先ず、ドーナッツ形状の眼鏡固定具の環状部側面により顔面又は側頭部を押圧する事により眼鏡を固定する事を特徴とする、眼鏡固定具の提供を図り、次に、直径が１〜２ｃｍで柔らかい樹脂からなる、ドーナッツ形状の眼鏡固定具であって、ドーナッツ形状の円環面外側から反対側の円環面外側まで貫通するスリット孔が設けられ、眼鏡のテンプル端部が前記スリット孔の少なくとも一方に嵌合され、ドーナッツ形状の環状部側面により顔面又は側頭部を押圧する事により眼鏡を固定する事を特徴とする、眼鏡固定具の提供を図った。
【考案の効果】
【０００６】本発明は、簡単な構造でテンプル端部少し太く中程が細くなっていても、テンプルとの間の摩擦力と、テンプル端部よりも多少大きく形成されたスリット孔が広げられ、元に戻ろうとする力、とにより安定してテンプルが顔面又は側頭部に固定される事が出来、又、装着した時はユーザーの顔面又は側頭部とドーナツ形状の側面との摩擦により外れ難くなる。又、取り外しが簡単で、不使用時には外すだけではなく、テンプル合口部近辺で保持しておくことが出来便利である。又激しい運動や作業に於いても、自分の従来使用している眼鏡の固定をする為に使用可能であり、且つ安価に提供可能である。
【図面の簡単な説明】
【０００７】
【図１】本発明の正面図
【図２】本発明の側面図
【図３】本発明の眼鏡固定具にテンプルを挿入した正面図
【図４】図３のＡ−Ａ断面図
【考案を実施するための最良の形態】
【０００８】直径が１〜２ｃｍで柔らかい樹脂からなる、ドーナッツ形状の眼鏡固定具であって、ドーナッツ形状の円環面外側から反対側の円環面外側まで貫通するスリット孔が設けられ、眼鏡のテンプル端部が前記スリット孔の少なくとも一方に嵌合され、ドーナッツ形状の環状部側面により顔面又は側頭部を押圧する事により眼鏡を固定する事を特徴とする、眼鏡固定具。
【実施例１】
【０００９】図１は本発明の眼鏡固定具１０の正面図であり、図２はその側面図である。ドーナッツ形状であり、その円環面外側２２から反対側の円環面外側まで貫通するスリット孔２０，２１が設けられ、その孔には眼鏡のテンプルが貫通される。【００１０】図３がテンプル４０端部から貫通された正面図であり、図４は、図３のＡ−Ａ断面図であり、眼鏡固定具１０の環状部側面３０により、顔面又は側頭部にテンプルを固定して動かなくし、且つ眼鏡も固定する。
【符号の説明】
【００１１】１０  本発明の眼鏡固定具
２０，２１  本発明の眼鏡固定具のスリット孔
３０  本発明の眼鏡固定具の環状部側面
４０  眼鏡のテンプル
【図１】
0003190847.tif 000003
【図２】
0003190847.tif 000004
【図３】
0003190847.tif 000005
【図４】
0003190847.tif 000006
【手続補正書】
【提出日】平成26年3月11日(2014.3.11)
【手続補正１】
【補正対象書類名】実用新案登録請求の範囲
【補正対象項目名】全文
【補正方法】変更
【補正の内容】
【実用新案登録請求の範囲】
【請求項１】
直径が１〜２ｃｍで柔らかい樹脂からなるドーナッツ形状の眼鏡固定具であって、ドーナッツ形状の円環面外側から反対側の円環面外側まで貫通するスリット孔が設けられ、眼鏡のテンプル端部が前記スリット孔の少なくとも一方に嵌合され、ドーナッツ形状の環状部側面により顔面又は側頭部を押圧する事により眼鏡を固定する事を特徴とする、眼鏡固定具。
(57)【要約】      （修正有）【課題】まつげを強く曲げることができるまつげカーラーを提供する。【解決手段】プレートと空洞部を切れ目のある天井部で覆われた弾性体でまつげを挟むことによりプレートとまつげが天井部を押し下げて弾性体の空洞内部に入り込むことでまつげを曲げる事を特徴とする。【選択図】図６
0003190839.tif 000002
【実用新案登録請求の範囲】
【請求項１】
まつげを乗せる弾性体の内部に空洞があり、空洞部は切れ目のある天井部で覆われている。プレートでまつげを挟んで圧力を加えると  まつげがプレートと弾性体の空洞を覆う切れ目のある天井部に挟まれた状態で  空洞内部に深く入りこみ  まつげが強く曲げられる事を特徴とするまつげカーラー。
【考案の詳細な説明】
【技術分野】
【０００１】本考案はまつげをカールするまつげカーラーに関するものである。
【背景技術】
【０００２】［図１］がまつげカーラーの外観で  ［図２］がまつげをカールするためのプレートと弾性体
【考案の開示】
【考案が解決しようとする課題】
【０００３】従来のまつげカーラーの弾性体の断面図は［図３］のかたまり状で  まつげを挟むと［図４］のように  まつげはプレートに押されて弾性体の表面に少しくい込むだけで  まつげの曲がりが弱い。
【課題を解決するための手段】
【０００４】［図５］が本考案の弾性体の断面図で  内部に空洞部を持ち、天井部に切れ目を持つ。
【考案の効果】
【０００５】まつげを軽くはさんだ状態が［図６］で  従来の弾性体によるカールの状態と同じ曲がりであるが  力を加えると［図７］のように  まつげがプレートと弾性体の天井部に挟まれた状態で  弾性体の空洞部に深く押し込まれて  まつげを強く曲げることができる。
【実施例】
【０００６】［図７］のようにまつげがプレートと弾性体の天井部に挟まれた状態で  弾性体の空洞部に深く押し込まれて  まつげを強く曲げることができる。
【産業上の利用可能性】
【０００７】従来のまつげカーラーよりまつげを大きく曲げることができ  目元をより美しく見せる効果があるのと  カールする時間を短縮することができる。
【図面の簡単な説明】
【０００８】
【図１】まつげカーラーの外観
【図２】まつげカーラーのプレートと側面図。
【図３】従来のまつげカーラー弾性体の断面図
【図４】従来のまつげカーラーの使用時の断面図
【図５】本考案の弾性体の断面図
【図６】本考案で軽く挟んだ時の断面図
【図７】本考案で強く挟んだ時の断面図
【図１】
0003190839.tif 000003
【図２】
0003190839.tif 000004
【図３】
0003190839.tif 000005
【図４】
0003190839.tif 000006
【図５】
0003190839.tif 000007
【図６】
0003190839.tif 000008
【図７】
0003190839.tif 000009
【手続補正書】
【提出日】平成25年12月19日(2013.12.19)
【手続補正１】
【補正対象書類名】実用新案登録請求の範囲
【補正対象項目名】全文
【補正方法】変更
【補正の内容】
【実用新案登録請求の範囲】
【請求項１】
プレートと空洞部を切れ目のある天井部で覆われた弾性体でまつげを挟むことによりプレートとまつげが天井部を押し下げて弾性体の空洞内部に入り込むことで  まつげを曲げる事を特徴とするまつげカーラー。
【手続補正書】
【提出日】平成26年3月5日(2014.3.5)
【手続補正１】
【補正対象書類名】実用新案登録請求の範囲
【補正対象項目名】全文
【補正方法】変更
【補正の内容】
【実用新案登録請求の範囲】
【請求項１】
プレートと、空洞部を切れ目のある天井部で覆われた弾性体を有し、前記プレートと前記弾性体でまつげを挟むことにより、プレートとまつげが前記天井部を押し下げて前記弾性体の空洞内部に入り込むことで、まつげを曲げる事を特徴とするまつげカーラー。
(57)【要約】      （修正有）【課題】箸の適切な使用の練習と、麺類を食べるときのために箸先端部の形状を改良した箸を提供する。【解決手段】先端部手前で一度再び太くし、そして先端へ錐形の形状に細くすることにより、使用したときに箸同士の先端部全てが接触しあう形状になっている。このような形状にすることにより、正しい角度（配置）で箸を使用したときに箸同士の先端部全てが接触しあう。【選択図】図２
0003190867.tif 000002
【実用新案登録請求の範囲】
【請求項１】
箸の先端手前で一度再び太くし、そして先端へ錐形の形状に細くすることにより、箸を使用したときに箸同士の先端部全てが接触しあう形状になっていること。
【考案の詳細な説明】
【技術分野】
【０００１】
本考案は、箸の適切な使用の練習と、麺類を食べるときのために箸先端部の形状を改良するものである。
【背景技術】
【０００２】
日本では既に箸の使用矯正を目的とした製品が数多く存在し普及している。
【考案の概要】
【考案が解決しようとする課題】
【０００３】
従来の練習用の箸は、箸を持つ手の指の配置に重点を置くものが多くみられ、箸を持ったときの角度や配置について重点を置いているものがほとんど見受けられない。また、一般的なの箸を正しい角度で使用していても箸同士が接触している箇所が先端部のわずかな部分のため、麺類が滑り落ちることがしばしば起こる。
【課題を解決するための手段】
【０００４】
正しい角度（位置）で使用すると箸先端部が互いにすべて接触するように形状を改良する。
【考案の効果】
【０００５】
正しい角度で使用しないと大変使いにくい形状に改良するため、箸使用の練習の効果が期待できる。また、形状改良した先端部分が全て接触するので麺類をしっかり掴み、滑り落ちにくくなる。
【考案を実施するための形態】
【０００６】
通常の箸は根元（手で持つ部分）から先端部までほぼ錐形で細くなるが、本考案では、先端より４〜５ｃｍ程度のところで一度再び太くし（段がつく形状）、そして先端へ錐形の形状に細くする。このような形状にすることにより、正しい角度（配置）で箸を使用したときに箸同士の先端部全てが接触しあう。
【図面の簡単な説明】
【０００７】
【図１】箸1本のみの形状図
【図２】使用時の箸の配置図
【図１】
0003190867.tif 000003
【図２】
0003190867.tif 000004
【手続補正書】
【提出日】平成26年3月27日(2014.3.27)
【手続補正１】
【補正対象書類名】実用新案登録請求の範囲
【補正対象項目名】全文
【補正方法】変更
【補正の内容】
【実用新案登録請求の範囲】
【請求項１】
先端部手前で一度再び太くし、そして先端へ錐形の形状に細くすることにより、使用したときに箸同士の先端部全てが接触しあう形状になっている箸。
(57)【要約】      （修正有）【課題】常時眼鏡を着用する者が防毒マスクを装着する際、常時着用眼鏡を着用したままで装着を可能とする常時着用眼鏡に接する事のない面体アイピース空間を有し、耳介の後部にて頭部に接合できる防毒マスクを提供する。【解決手段】マスク母体１と、マスク母体１に接続され、常用眼鏡と接触しない充分な空間を確保した面体アイピース２と額から眼鏡テンプルを圧迫しない耳介直前、頬部及び顎部に位置しガスの侵入を防止するシール３等を備える。マイクロフォン１０と組み合わせたスピーカ又はイアホン９と、音量を調節する制御回路部１１と、制御回路部１１に電源を供給する電源部１２とを備えることで聴音補助機能を有する。【選択図】図１
0003190862.tif 000002
【実用新案登録請求の範囲】
【請求項１】
常時着用眼鏡を着用状態にて装着可能な防毒マスク
【請求項２】
聴音補助機能を有する防毒マスク
【考案の詳細な説明】
【技術分野】
【０００１】  本考案は、常時着用眼鏡を着用状態にて装着が可能な防毒マスクに関するものである。
【背景技術】
【０００２】  従来、面体一体防毒マスクを装着する場合、常時眼鏡着用者はこれを外し、視力矯正レンズ付きゴーグルあるいは、マスク専用眼鏡又は眼鏡気密保持具等を使用し、耳介の手前にて接顔し付属した締め紐を締めることで面体内の気密を保持し、装着していた。
【先行技術文献】
【特許文献】
【０００３】
【特許文献１】  特許公開２０００−２６７０４９
【特許文献２】  特許公開２００３−４３４２４
【特許文献３】  特許公開平８−１２６７１３
【特許文献４】  実用新案公開平５−８５３６
【特許文献５】  実用新案公開平７−７６５６
【非特許文献】
【０００４】
【非特許文献１】
【非特許文献２】
【考案の概要】
【考案が解決しようとする課題】
【０００５】  従来、常用眼鏡を着用したまま面体一体防毒マスクを装着しようとすると、眼鏡リム部又はブローチ部が内面に接触し、眼鏡の変形及びテンプル部が顔面接触部の圧迫により不快感が生じると伴に気密も阻害され、装着が不可能な場合があった。これを防止する為、視力矯正レンズ付きゴーグルあるいは、マスク専用眼鏡又は眼鏡気密保持具等を使用し、耳介の手前にて接顔し、付属した締め紐を締める事で面体内の気密を保持し装着ていた。【０００６】  しかし、これらの常用眼鏡代替器具のレンズは装着者個人の視力矯正レベルに適応させる必要があると伴に矯正レベルの変化にも対応させる更新の必要があり、経済的負坦が大きかった。これらの常用眼鏡代替器具の保管管理の必要もあった。【０００７】  常用眼鏡代替具を用いて装着する場合、煩雑さと伴に装着の時間も長くなる欠点もあった。
【課題を解決するための手段】
【０００８】  本考案は、常用眼鏡と接触しない充分な空間を確保した面体アイピース部と両耳介を覆う左右の耳覆い部と付属締め紐を締める事で顔面を閉塞出来る構造とし、常時着用の眼鏡着用のまま防毒マスクの装着を可能とし従来の欠点を解決する。
【考案の効果】
【０００９】  本考案により、防毒マスク装着必要時、常時着用眼鏡のまま装着可能となる為、従来必要とした常用眼鏡代替具類の整備の経済的負担、これらの保管管理及び装着の煩雑さがなくなり装着の時間的短縮が図れる。
【図面の簡単な説明】
【００１０】
【図１】本考案実施の斜視図である。
【図２】本考案実施の上面図である。
【図３】本考案実施の聴音補助機能の実施方法を示した図である。
【考案を実施するための形態】
【００１１】  防毒マスク前面透明面体アイピース内空間寸法を眼鏡リム、ブローチ及びテンプルと接触しない形状の大きさとする。外形形状は、制約を要しない。防毒マスクと頭部との接合は額、顎及び両耳介を覆う部分にて行い、内部のゴム製シール部と付属する締め紐を締める事により気密を図る。この実施により外部音が聞き取りにくくなる為、聴覚補助機能を付加する。
【実施例】
【００１２】  以下、添付図面に従って一実施事例を説明する。１はマスク母体、２は透明面体アイピース、３はシールでゴム製とし額から眼鏡テンプルを圧泊しない耳介直前、頬部、及び顎部に位置し、ガスの侵入を防止する。４は耳覆い部で耳介上下部及び後部の頭部接合部は可動出来、クッション材を内包し、テンプル部を圧泊しないと伴に装着を容易にしている。５の締め紐を締める事で面体部の内部の気密を図る。６は眼鏡リム、７はブローチ、８はテンプルで面体アイピースに接触しない。９は４により外部の音が聞き取りにくくなる為、１０に示すマイクロフォンと組み合わせたスピーカーを示す。１１は音量を調整する制御回路部、１２は電源部を示しこれらは電気的に接続される。１０〜１２は、マスクに固定される必要はなく、任意の身体位置に取り付る事が出来る。１１と１２は、一体とする事が出来る。９〜１２は聴覚補助機能が不要な場合、マスクに付加しない事も出来る。９はスピーカーではなくイヤホンにする事も出来る。
【産業上の利用可能性】
【００１３】
【符号の説明】
【００１４】１  防毒マスク母体
２  面体アイピース
３    シール
４  耳覆い部
５  締め紐
６  眼鏡リム
７  眼鏡ブローチ
８  眼鏡テンプル
９  スピーカー
１０  マイクロフォン
１１  制御回路部
１２  電源部
１３  吸収缶
【図１】
0003190862.tif 000003
【図２】
0003190862.tif 000004
【図３】
0003190862.tif 000005
【手続補正書】
【提出日】平成26年3月10日(2014.3.10)
【手続補正１】
【補正対象書類名】実用新案登録請求の範囲
【補正対象項目名】全文
【補正方法】変更
【補正の内容】
【実用新案登録請求の範囲】
【請求項１】
マスク母体１と、マスク母体１に接続され、常用眼鏡と接触しない充分な空間を確保した面体アイピース２と額から眼鏡テンプルを圧迫しない耳介直前、頬部及び顎部に位置しガスの侵入を防止するシール３等を備えた常時着用眼鏡を着用状態にて装着可能なことを特徴とする防毒マスク。
【請求項２】
マイクロフォン１０と組み合わせたスピーカ又はイアホン９と、音量を調節する制御回路部１１と、制御回路部１１に電源を供給する電源部１２とを備えることで聴音補助機能を有することを特徴とする請求項１に記載の防毒マスク。
(57)【要約】      （修正有）【課題】横置き状態でも自立する着替え用テントを提供する。【解決手段】フックが付いた円形フレームを着替え用テントの底面に取りつけて、フックにより底面４箇所に取付けられたループ６，７，８，９を対角線上に引っ張る。その張力により、着替え用テントが横置きでも自立し、寝転がって休憩する用途にも使えるようになる。【選択図】図３
0003190866.tif 000002
【実用新案登録請求の範囲】
【請求項１】
着替え用テントの底面４箇所に取付けられたループ（６，７，８，９）を対角線上に引っ張ることで着替え用テントが横置きでも自立できるようにする構造。
なお、ループを対角線上に引っ張る方法には、
（イ）円形フレーム（１０）に取付けられたフック（１１）をループ（６，７，８，９）に取り付ける。
（ロ）ループ（６，７，８，９）をロープで対角線上に結ぶ。
などがある。
【考案の詳細な説明】
【技術分野】
【０００１】本考案は着替え用テントが横置き状態で自立するための構造に関するものである。
【背景技術】
【０００２】着替え用テントとは、テント側面に配置された４本の円形フレーム（１，２，４，５）から構成される、着替えを行うために設計されたテントである。【０００３】中に入った人は立ったまま着替えることができるが、床部分の広さは通常１２０×１２０ｃｍ程度のため、寝転がることは不可能である。【０００４】テントを横置きにすれば、人が寝転がって休憩することも可能であるが、従来の構造では横置き状態での自立は構造上、不可能である。
【考案の概要】
【考案が解決しようとする課題】
【０００５】本考案は、以上のような従来の問題点を解決するため、着替え用テントが横置き状態でも自立することを目的としている。
【課題を解決するための手段】
【０００６】図面について説明すれば、従来の着替え用テントはテント側面に配置された４本の円形フレーム（１，２，４，５）から構成されている。従来の着替え用テントの底面４箇所にループ（６，７，８，９）を取付け、そのループをもう１本の円形フレーム（１０）とそのフレームに取付けられたフック（１１）などを使って、ループＡ（６）とループＣ（８）、ループＢ（７）とループＤ（９）のように対角線上に引っ張る。
【考案の効果】
【０００７】着替え用テント底面のループが対角線上に引っ張られた状態であれば、張力により、着替え用テントは横置き状態でも自立することができる。その結果、着替え用テントは着替えるためだけではなく、寝転がって休憩する用途のためにも使用可能となった。
【図面の簡単な説明】
【０００８】
【図１】テントを前方から見た斜視図
【図２】テントを上方から見た平面図
【図３】テントを底面から見た平面図
【図４】テント底面に取り付けるフレームの平面図
【符号の説明】
【０００９】１，２，４，５はテント側面の円形フレーム、３はテントの入口、６，７，８，９は１０をテント底面に取り付けるためのループ、１０はテント底面に取り付ける円形フレーム、１１は１０をテント底面の６，７，８，９に取り付けるためのフック、１２は１０と１１をつなぐための生地であることを表す。
【図１】
0003190866.tif 000003
【図２】
0003190866.tif 000004
【図３】
0003190866.tif 000005
【図４】
0003190866.tif 000006
【手続補正書】
【提出日】平成26年3月14日(2014.3.14)
【手続補正１】
【補正対象書類名】実用新案登録請求の範囲
【補正対象項目名】全文
【補正方法】変更
【補正の内容】
【実用新案登録請求の範囲】
【請求項１】
底面４箇所のループ（６，７，８，９）を対角線上に引っ張るためのフック（１１）付き円形フレーム（１０）を有する着替え用テント。
(57)【要約】      （修正有）【課題】正確に、簡単に湿布を貼ることができる湿布貼り補助具を提供する。【解決手段】楕円型又は菱型の本体１の中央部に、湿布７を置く湿布置き部３、その左右にガイド部２、本体１の両端に通し部６、及び、湿布置き部３の左右に引っ張り部５を備える。ガイド部２は、本体１とで袋状を構成する。引っ張り部５は、紐状で、その先端部に長尺状の押さえ部４を有し、ガイド部２と通し部６を通されている構成である。湿布置き部３に湿布７を置き、湿布７の左右の端を、押さえ部４に貼って、仮固定した後、湿布貼り補助具を背中に当て、引っ張り部５を左右に引っ張って、押さえ部４から湿布を剥がしながら、背中に貼るようにする。【選択図】図１
0003190870.tif 000002
【実用新案登録請求の範囲】
【請求項１】
楕円型又は菱型の本体１の中央部に、湿布７を置く湿布置き部３、その左右にガイド部、本体１の両端に通し部６、及び、左右に引っ張り部５を備え、ガイド部２は、本体１とで袋状を構成し、引っ張り部５は、紐状で、その先端部に長尺状の押さえ部４を有し、ガイド部２と通し部７を通されている構成であり、
湿布置き部３に湿布７を置き、湿布７の左右の端を、押さえ部に貼って、仮固定した後、湿布貼り補助を背中に当て、引っ張り部を左右に引っ張って、押さえ部４から湿布を剥がしながら、背中に貼るようにしたことを特徴とする湿布貼り補助具。
【考案の詳細な説明】
【技術分野】
【０００１】
湿布を貼るための補助具に関する。
【背景技術】
【０００２】
特許文献１のように、ローラー方式で背中に湿布を貼る補助具などがあった。
【先行技術文献】
【特許文献】
【０００３】
【特許文献１】特開２００５−２６１８９９公報
【考案の概要】
【考案が解決しようとする課題】
【０００４】
核家族化や高齢化に伴い一人暮らしの方が増加現象にある。年齢とともに身体の柔軟性が衰え後ろに手が回りにくくなっており、その様な状況の中、湿布を背中にうまく貼ることは困難である。一人で湿布が貼りにくかったり、湿布がくしゃくしゃになったりする。
【課題を解決するための手段】
【０００５】
楕円型又は菱型の本体１の中央部に、湿布７を置く湿布置き部３、その左右にガイド部、本体１の両端に通し部６、及び、左右に引っ張り部５を備え、ガイド部２は、本体１とで袋状を構成し、引っ張り部５は、紐状で、その先端部に長尺状の押さえ部４を有し、ガイド部２と通し部７を通されている構成であり、湿布置き部３に湿布７を置き、湿布７の左右の端を、押さえ部に貼って、仮固定した後、湿布貼り補助を背中に当て、引っ張り部を左右に引っ張って、押さえ部４から湿布を剥がしながら、背中に貼るようにしたことを特徴とする湿布貼り補助具である。
【考案の効果】
【０００６】
湿布がしわになったり、くしゃくしゃにならずに一人で上手く貼れる。
【図面の簡単な説明】
【０００７】
【図１】本考案の湿布貼り補助具の構成
【図２】本考案の湿布貼り補助具の使用方法
【図３】本考案の湿布貼り補助具の使用図
【考案を実施するための形態】
【０００８】
図１は、本考案の湿布貼り補助具の構成を示す。
本考案の湿布貼り補助具は、本体１、ガイド部２、湿布置き部３、押さえ部４、引っ張り部５、本体の通し部６から構成される。
本体１は、楕円型又は菱型で、その中央部に、湿布７を置く湿布置き部３を備え、湿布置き部３の左右に、押さえ部４を備える。
押さえ部４は、引っ張り部６の端部から延長した長尺状で、引っ張り部６と一体になっている。
引っ張り部５は、本体１に縫い付けらえて袋状にしたガイド部２と本体１に設けた通し部７に通されている。引っ張り部５を左右に引っ張ると、湿布の粘着で貼られた押さえ部４が左右に引っ張られて剥がれる。
【０００９】
図３は、本考案の湿布貼り補助具の使用図である。
湿布貼り補助具の、湿布置き部３に湿布７を置き、湿布７の左右の端を、押さえ部に貼って、仮固定した後、図３のように湿布貼り補助を背中に当て、貼る位置を決めた後に、両サイドの引っ張り部の先端を同時に引っ張って、湿布を背中に押し付けて、押さえ部４から湿布を剥がしながら、背中に貼る。
【００１０】
図２は、本考案の湿布貼り補助具の使用方法を示す。
湿布貼り補助具の機能を、断面図で示す。
（ａ）は湿布がない状態、（ｂ）は湿布を置いた状態、（ｃ）は、押さえ部を湿布の両側に仮押さえした状態、（ｄ）は引っ張り部６を左右に引っ張った状態を示す。
【００１１】
図２にそって、湿布貼り補助具の使用方法を示す。
（ａ）は、湿布を置いていない状態である。 
（ｂ）は、本体１の湿布置き部３に湿布７を置いた状態である。
（ｃ）は、湿布７の両端を押さえ部４で仮固定させた状態である。
（ｄ）は、引っ張り部５を左右に引っ張り、押さえ部４から湿布７を剥がした状態である。引っ張り部を左右に引っ張ることにより図３に示すように、湿布を背中に押し付けて、押さえ部４から湿布を剥がしながら、背中に貼る。
【産業上の利用可能性】
【００１２】
正確に、簡単に湿布を貼ることができる布貼り補助具を提供する。
【符号の説明】
【００１３】
１  本体
２  ガイド部
３  湿布置き部
４  押さえ部
５  引っ張り部
６  通し部
７  湿布
【図１】
0003190870.tif 000003
【図２】
0003190870.tif 000004
【図３】
0003190870.tif 000005
【手続補正書】
【提出日】平成26年3月19日(2014.3.19)
【手続補正１】
【補正対象書類名】実用新案登録請求の範囲
【補正対象項目名】全文
【補正方法】変更
【補正の内容】
【実用新案登録請求の範囲】
【請求項１】
楕円型又は菱型の本体（１）の中央部に、湿布（７）を置く湿布置き部（３）、その左右にガイド部、本体（１）の両端に通し部（６）、及び、湿布置き部（３）の左右に引っ張り部（５）を備え、ガイド部（２）は、本体（１）とで袋状を構成し、引っ張り部（５）は、紐状で、その先端部に長尺状の押さえ部（４）を有し、ガイド部（２）と通し部（６）を通されている構成であり、湿布置き部（３）に湿布（７）を置き、湿布（７）の左右の端を、押さえ部に貼って、仮固定した後、湿布貼り補助を背中に当て、引っ張り部を左右に引っ張って、押さえ部（４）から湿布を剥がしながら、背中に貼るようにしたことを特徴とする湿布貼り補助具。
(57)【要約】      （修正有）【課題】風邪花粉予防マスクの紐による、耳をこすって痛くなったり、傷つくことを防ぐ合成樹脂製チューブを提供する。【解決手段】風邪花粉予防のマスクの耳にかける紐を覆う目的で、チューブの長手方向に、着脱可能にするための切りこみをつけたことを特徴とする。これにより、直接マスクの紐が耳にあたるのではなく、紐より太いチューブが耳に触れるので、痛くなったり、こすれたりするのを防ぐことができる。【選択図】図１
0003190857.tif 000002
【実用新案登録請求の範囲】
【請求項１】
風邪花粉予防のマスクの耳にかける紐を覆う目的で  着脱可能にするための切り込みをつけた合成樹脂製チューブ。
【考案の詳細な説明】
【技術分野】
【０００１】本考案は風邪花粉予防のマスクに関するものである。
【背景技術】
【０００２】従来の風邪花粉予防のマスクは耳にかける部位が紐やゴム糸で作られている。
【考案の開示】
【考案が解決しようとする課題】
【０００３】従来の風邪花粉予防のマスクの耳にかける紐やゴム糸は長時間つけていると耳の表面がこすれて痛くなったり、傷つくことがある。
【課題を解決するための手段】
【０００４】本考案の切込みをつけた合成樹脂製のチューブを提供する。
【考案の効果】
【０００５】〔図１〕のように直接マスクの紐が耳にあたるのではなく  紐より太いチューブが耳に触れるので  痛くなったり、こすれたりするのを防ぐことができる。
【実施例】
【０００６】〔図１〕のようにマスクの紐を本考案の切り込みを入れたチューブが覆っている。
【産業上の利用可能性】
【０００７】マスクが汚れた場合でも  マスク本体は廃棄しても本考案のチューブは再使用することが出来、経済的である。
【図面の簡単な説明】
【０００８】
【図１】本考案のチューブをつけたマスクの外観
【図２】本考案のチューブの断面図
【図１】
0003190857.tif 000003
【図２】
0003190857.tif 000004
【手続補正書】
【提出日】平成26年3月5日(2014.3.5)
【手続補正１】
【補正対象書類名】実用新案登録請求の範囲
【補正対象項目名】全文
【補正方法】変更
【補正の内容】
【実用新案登録請求の範囲】
【請求項１】
風邪花粉予防のマスクの耳にかける紐を覆う目的で、チューブの長手方向に、着脱可能にするための切りこみをつけた合成樹脂製チューブ。